(57)【要約】【課題】専門のウェブサイト作成者によらずに、情報提供者側で難しいプログラミングを要することなく、ウェブサイトのメンテナンスを行うことができるようにする。【解決手段】元文書ＤＣにおいて変換の対象であることを示す第１の属性情報ＡＴ１を、既存のユーザインタフェースを用いて、付与し、その属性情報ＡＴ１が付与された部分に対し、所望の変換を加えるための意味づけをする属性情報であって、かつ、上記ユーザインタフェースでは想定しない第２の属性情報ＡＴ２を付加し、その属性情報ＡＴ２を解読可能なプログラムによって、元文書ＤＣを上記の意味づけにしたがって書き換えるようにする。【選択図】図１
2007164368.tif 000002
【特許請求の範囲】
【請求項１】
既存のユーザインタフェースを用いて作成された元文書を、属性情報を用いて少なくとも部分的に変換し、所望の変換文書を作成する文書作成方法であって、
（ｉ）前記元文書において前記の変換すべき部分に対し、その部分が変換の対象であることを示す第１の属性情報を、前記ユーザインタフェースを用いて、付与する第１ステップと、
（ii）前記第１の属性情報が付与された元文書に対し、前記の所望の変換を加えるための意味づけをする属性情報であって、かつ、前記ユーザインタフェースでは想定しない第２の属性情報を付加する第２ステップと、
（iii）前記第２の属性情報を解読可能なプログラムによって、前記元文書を該第２の属性情報による前記の意味づけにしたがって書き換える第３ステップと、
を有することを特徴とする文書作成方法。
【請求項２】
前記既存のユーザインタフェースは、ワードプロセッサまたは表計算ソフトであることを特徴とする請求項１に記載の文書作成方法。
【請求項３】
前記第１の属性情報は、前記ユーザインタフェースにおいて、前記の変換の対象となる所定の文字あるいは所定の領域を特定するための指示情報からなることを特徴とする請求項１に記載の文書作成方法。
【請求項４】
前記第２の属性情報の１つは、前記元文書において、前記の意味づけをすべき部分であることを前記プログラム上で指示するための意味づけ指示子であることを特徴とする請求項１に記載の文書作成方法。
【請求項５】
前記第２の属性情報の１つは、前記変換の操作内容を特定する操作指示子であることを特徴とする請求項１に記載の文書作成方法。
【請求項６】
前記第２の属性情報の１つは、レンジ指示子であり、該レンジ指示子は、前記第１の属性情報により示された前記の変換の対象となる部分の中のさらに一部を特定することを特徴とする請求項１に記載の文書作成方法。
【請求項７】
前記第２の属性情報の１つは、位置修正指示子であり、該位置修正指示子は、前記第１の属性情報により示された前記の変換の対象となる部分の中にさらなる変換を指示することを特徴とする請求項１に記載の文書作成方法。
【請求項８】
前記第２の属性情報の１つは、引数指示子であり、該引数指示子は、該第２の属性情報により指示される操作の具体的内容を指示することを特徴とする請求項１に記載の文書作成方法。
【請求項９】
前記所望の変換文書がＭＬであることを特徴とする請求項１に記載の文書作成方法。
【請求項１０】
前記ＭＬがＨＴＭＬであることを特徴とする請求項９に記載の文書作成方法。
【請求項１１】
既存のユーザインタフェースを用いて作成された元文書を、属性情報を用いて少なくとも部分的に変換し、所望の変換文書を作成する文書作成装置であって、
前記元文書を入力として、該元文書において前記の変換すべき部分に対し、その部分が変換の対象であることを示す第１の属性情報を、前記ユーザインタフェースを用いて、付与する第１属性付与部と、
前記第１属性付与部からの前記第１の属性情報が付与された元文書を入力として、前記の所望の変換を加えるための意味づけをする第２の属性情報であってかつ前記ユーザインタフェースでは想定しない属性情報を付加する第２属性付加部と、
前記第２属性付加部から出力された前記第２の属性情報による前記の意味づけがなされた前記元文書を入力すると共に、該第２の属性情報を解読可能なプログラムを格納し、該プログラムによって、その入力された該第２の属性情報による前記の意味づけがなされた前記元文書を、前記所望の変換文書として作成する文書変換部と、
からなることを特徴とする文書作成装置。
【請求項１２】
前記第１属性付与部における前記第１の属性情報は、前記ユーザインタフェースにおいて、前記の変換の対象となる所定の文字あるいは所定の領域を特定するための指示情報からなることを特徴とする請求項１１に記載の文書作成装置。
【請求項１３】
前記第２属性付加部における前記第２の属性情報の１つは、前記元文書において、前記の意味づけをすべき部分であることを前記プログラム上で指示するための意味づけ指示子であることを特徴とする請求項１１に記載の文書作成装置。
【請求項１４】
前記第２属性付加部における前記第２の属性情報の１つは、前記変換の操作内容を特定する操作指示子であることを特徴とする請求項１１に記載の文書作成装置。
【請求項１５】
前記第２属性付加部における前記第２の属性情報の１つは、レンジ指示子であり、該レンジ指示子は、前記第１の属性情報により示された前記の変換の対象となる部分の中のさらに一部を特定することを特徴とする請求項１１に記載の文書作成装置。
【請求項１６】
前記第２属性付加部における前記第２の属性情報の１つは、位置修正指示子であり、該位置修正指示子は、前記第１の属性情報により示された前記の変換の対象となる部分の中にさらなる変換を指示することを特徴とする請求項１１に記載の文書作成装置。
【請求項１７】
前記第２属性付加部における前記第２の属性情報の１つは、引数指示子であり、該引数指示子は、該第２の属性情報により指示される操作の具体的内容を指示することを特徴とする請求項１１に記載の文書作成装置。
【発明の詳細な説明】
【技術分野】
【０００１】
本発明は、情報提供者の端末側からウェブサイトを構築するための文書作成方法ならびに文書作成装置に関する。
【背景技術】
【０００２】
ホームページを作成するといった上記のウェブサイトの構築には、一般に、ＪＳＰ（Java（登録商標） Server Pages）やＡＳＰ（Active Server Pages）といったソフトウェアを用いている。このため、上記の情報提供者側でのプログラミングは難しく、一般にはプログラマによるプログラミングが必要である。したがって、この情報提供者側においてそのウェブサイトのメンテナンスを行うことはせず、通常は、専門のウェブサイト作成者にそのメンテナンスを、その都度、依頼していた。
【０００３】
なお、本発明に関連する公知技術として、例えば下記の〔特許文献１〕や〔特許文献２〕がある。しかしこれらの特許文献には、後に詳述する本発明の特徴をなす、各種用途に応じた「意味づけ」を自由に行うといった発想はない。
【０００４】
ちなみに、〔特許文献１〕は、ユーザインタフェースに「リンクとして動作するオブジェクトを埋め込む」という固定的な処理を埋め込む方式であり、また〔特許文献２〕は、第１属性情報および第２属性情報が作用する範囲をＭＬ（Markup Language）と同じ方法、つまり、開始位置および終了位置に属性情報を記述する方式であり、ＭＬにおける開始タグと終了タグに対応している。このため、複数の属性が重複して作用する部分の表現は、第１属性情報および第２属性情報が階層的に指定されなければならない。
【０００５】
【特許文献１】特開平１０−１１１８６６号公報
【特許文献２】特開２００５−１０８１２５号公報
【発明の開示】
【発明が解決しようとする課題】
【０００６】
上記〔特許文献１〕によると、上述したように、ユーザインタフェースに「リンクとして動作するオブジェクトを埋め込む」という固定的な処理を埋め込む方式であるため、各種用途に応じた「意味づけ」を自由に付与することができない、という問題がある。
【０００７】
また、上記〔特許文献２〕によると、上述したように、複数の属性が重複して作用する部分の表現は、第１属性情報および第２属性情報が階層的に指定されなければならないため、通常、ワードプロセッサもしくは表計算ソフトなどによく見受けられる文字修飾（階層的に指定することができない）によっては意味づけを付加することはできない。つまり、既存のユーザインタフェースを活用しての意味づけができない、という問題がある。
【０００８】
したがって本発明は、上記諸問題点に鑑み、既存のユーザインタフェースを活用しつつ、各種用途すなわち目的とする所望の文書への変換が、情報提供者に特殊な技能を強いることなく行える文書作成方法および文書作成装置を提案することを目的とするものである。
【課題を解決するための手段】
【０００９】
図１は本発明に基づく文書作成方法の基本ステップを示すフローチャートである。この文書作成方法は、既存のユーザインタフェースを用いて作成された元文書を、属性情報を用いて少なくとも部分的に変換し、所望の変換文書を作成する文書作成方法である。ここに、本発明の文書作成方法は、図示するステップＳ１１，Ｓ１２およびＳ１３からなることを特徴とする。
【００１０】
ステップＳ１１：元文書において変換すべき部分に対し、その部分が変換の対象であることを示す第１の属性情報を、ユーザインタフェースを用いて、付与するステップであり、
ステップＳ１２：第１の属性情報が付与された元文書に対し、所望の変換を加えるための意味づけをする別の属性情報であって、かつ、上記のユーザインタフェースでは想定しない第２の属性情報を付加するステップであり、
ステップＳ１３：第２の属性情報を解読可能なプログラムによって、元文書をその第２の属性情報による意味づけにしたがって書き換えるステップである。
【００１１】
上記のステップＳ１１〜Ｓ１３によれば、既存のユーザインタフェースを用いて作成される文書、例えばワードプロセッサを用いて作成される文書に付与される第１の属性情報に対して新たに別の意味づけを、第２の属性情報により行うことができる。この場合、上記の第１の属性情報とは、後述する例によれば、ワープロ文書中の文字に下線を引く場合、その文字情報に付与される「下線を引く」ための指示情報である。
【発明の効果】
【００１２】
上記のように、ある属性情報に対して新たに別の意味づけをさらに付加するといった発想はこれまでになかった。かかる発想によれば、既に存在するユーザインタフェース（例えばエクセル）を用いて、別の処理（例えば、ＨＴＭＬからブラウザ表示への変換）に対し新たな所望の意味づけが、当該ユーザインタフェースに修正を加えることなく、実現可能となる。
【００１３】
これにより上記情報提供者は、例えば上記のエクセルに代表されるフラットな属性情報をメンテナンスするだけで、元文書を所望の文書に変換することが可能となる。
【発明を実施するための最良の形態】
【００１４】
図２は所望の文書に変換すべき元文書ＤＣ（document）の一文例を示す図である。本図では、特に上記第１の属性情報ＡＴ（attribute）１を、下線により例示している。この第１の属性情報ＡＴ１は、所望の文書に変換すべき部分を示す。概括的に言えば、第１の属性情報ＡＴ１は、ユーザインタフェースにおいて、上述した変換の対象となる所定の文字あるいは所定の領域を特定するための指示情報である。図２では所定の文字「太田」等を特定しているが、この他、所定の領域を特定するものであってもよい。また、上記のユーザインタフェースとしての好適例には、ワードプロセッサや表計算ソフトがある。具体的には、そのワードプロセッサとして「ワード」が挙げられ、またその表計算ソフトとして「エクセル」が挙げられる。
【００１５】
図２に示す具体例としては、
・１つ目の下線は、現在、文書を閲覧している人の名前（例えば、「杉田」）を表示し、
・２つ目の下線は、インターネット上のリソース（ＵＲＬ）http://abc.com/index.htmlへのリンクを示す。
【００１６】
なお、第１の属性情報ＡＴ１は、図２に示すように、当該文字に下線を付与するだけでなく、例えば当該文字を「太字」としたり「色付き文字」として、該第１の属性情報ＡＴ１が付与されたことを示すようにしてもよい。また、上述のとおり「所定の領域」としてもよいが、この「所定の領域」としては、例えば、「枠」で囲ったり、バックグランドとしての「色」付けをしてもよい。以下に、かかる第１の属性情報ＡＴ１に対して、本発明に基づく意味づけを行うための上記第２の属性情報ＡＴ２について説明する。
【００１７】
図３は本発明に基づき第２の属性情報ＡＴ２を付加した一文例を示す図であり、また
図４は図３の操作によって得られた所望の変換文書ＤＣ′を示す図である。
【００１８】
図３の例においては、表計算ソフトを用いて、インターネット・コンテンツを定義する場合の例を示す。この表計算ソフトには、セルと呼ばれる２次元配列の「シート」が存在する。ここでは、この「シート」を用いて、コンテンツの画面イメージを表計算ソフトのユーザインタフェースを用いて作成し、インターネット・コンテンツとしての意味づけも、同インタフェースを用いて、付加する。本図の例において、左側の部分ＤＣが画面イメージであり、その画面イメージの右側部分に記述されているのが、新たな「意味づけ」ＡＴ２である。
【００１９】
上記のとおり意味づけされた文書は、後述する文書変換部（図５の１３参照）によって図４に示すようなインターネット・コンテンツに変換される。この図４の例では、表計算ソフトが、もともと持っている属性付加機能を活用して、文字に下線（あるいは必要ならば色も）を付与している。なお、その色属性に関しては、インターネット・コンテンツにも相応の属性が存在しているため、もともとの意味づけを踏襲する。また上記の下線に関しては、インターネット・コンテンツ独特の意味づけである「リンク」に対応させたいため、意味づけ機構（図１および図５参照）を用いて、新たな意味を付加している。また、マーキーという表示方法（文字を右から左へ、もしくは、左から右へスクロールさせながら表示する方法）がインターネット・コンテンツには存在するが、表計算ソフトには存在しない。このような場合にも、その意味づけ機構によって、新しい意味合いを付加することができる。
【００２０】
かかる意味づけ機構を実現するための記法、すなわち既存の情報へ新たな意味づけを付加するための上記第２の属性情報ＡＴ２を図３の具体例をもって説明する。この図３で一例として示されているのは、
ａ）＄
ｂ）〔位置修正指示子〕
ｃ）〔レンジ指示子〕
ｄ）〔操作指示子〕
ｅ）（引数指示子）
である。以下、上記ａ）〜ｅ）についてそれぞれ詳述する。
【００２１】
ａ）＄は、元文書において、上記の意味づけをすべき部分であることを前述したプログラム上で指示するための意味づけ指示子である。なお、このプログラムは、既述のＭＬであり、より実用的には、ＨＴ（Hyper Text）ＭＬである。
ｂ）〔位置修正指示子〕は、第１の属性情報ＡＴ１により示された、上述した変換の対象となる部分の中にさらなる変換を指示するものである。
ｃ）〔レンジ指示子〕は、第１の属性情報ＡＴ１により示された、上述した変換の対象となる部分の中のさらに一部を特定するものである。
【００２２】
ｄ）〔操作指示子〕は、上記変換の操作内容を特定する操作指示子である。この操作指示子ｂは、例えば「置換」、「リンク」等の操作内容を指示し、ここに「置換」は、元文書ＤＣ中において第１の属性情報ＡＴ１にて特定された元文書を所望の文書に置き換える操作を指示し、「リンク」は、インターネット上のリソース（ＵＲＬ）へリンクを張る操作を指示することを意味する。
ｅ）（引数指示子）は、上記の操作指示子ｂにより指示される操作の具体的内容を指示するものである。
【００２３】
・＄は、情報（文書）中の次の「下線」（既存のユーザインタフェースで情報中に設定された属性の１つ）位置とマッチすることを示す。
・位置修正指示子ｂは、ピリオドが指定されている場合、１つ前の位置とマッチすることを示す。これにより１つの「下線」に２つ以上の意味づけを付与することが可能となる。
・レンジ指示子ｃは、「下線」が引かれている部分のうちの一部分を指定する。例えば、２．．５は、「２文字目から５文字目まで」を示す。なおレンジ指示子がない場合は、下線部分全てを示す。
・操作指示子ｄは、特定されたレンジに適用する「操作」を指定する。
・引数指示子ｅは、操作の詳細情報を指定する。なお、引数指示子の中の｛  ｝で囲まれた部分は、処理系に設定されているパラメータの値を引用することを示す。
【００２４】
例えば、次のように記述される。
例１）（置換）          ＄置換（｛userNamｅ｝）
パラメータuserNamｅに設定されている値と置換することを                          示す。
例２）（リンク）        ＄リンク（http://abc.com/index.html）
http://abc.com/index.htmlへのリンクを張ることを示す。
例３）（置換とリンク）  ＄リンク（http://abc.com/index.html）；＄．５．．７置                          換（ムービー）
下線部分にリンクを張るとともに、下線部分の５文字目から                          ７文字目の表現は、「ムービー」に置き換える。
【００２５】
以上説明した文書作成方法は、コンピュータやメモリといったハードウェア資源によって、文書作成装置として実現することができる。
【００２６】
図５は本発明に基づく文書作成装置の基本構成図である。本図に示す文書作成装置１０は、既存のユーザインタフェースを用いて作成された元文書ＤＣを、属性情報を用いて少なくとも部分的に変換し、所望の変換文書ＤＣ′を作成する文書作成装置である。その主たる構成部分は、第１属性付与部１１、第２属性付加部１２および文書変換部１３である。
【００２７】
ここに、第１属性付与部１１は、元文書ＤＣを入力として、この入力元文書ＤＣにおいて前述の変換すべき部分に対し、その部分が変換の対象であることを示す第１の属性情報ＡＴ１を、既存のユーザインタフェースを用いて、付与するものである。
また第２属性付加部１２は、第１属性付与部１１からの、第１の属性情報ＡＴ１が付与された元文書ＤＣを入力として、所望の変換を加えるための意味づけをする第２の属性情報であってかつ上記のユーザインタフェースでは想定しない属性情報を付加するものである。
さらに文書変換部１３は、第２属性付加部１２から出力された、第２の属性情報ＡＴ２による意味づけがなされた元文書ＤＣを入力すると共に、この第２の属性情報を解読可能なプログラムを格納し、このプログラムによって、その入力された第２の属性情報による前記の意味づけがなされた元文書を、所望の変換文書ＤＣ′として作成するものである。
【００２８】
なお既に述べたように、第１属性付与部１１における第１の属性情報ＡＴ１は、ユーザインタフェースにおいて、変換の対象となる所定の文字あるいは所定の領域を特定するための指示情報（下線等）からなる。
【００２９】
同様に、第２属性付加部１２における第２の属性情報ＡＴ２の第１は、元文書ＤＣにおいて、意味づけをすべき部分であることを前述のプログラム上で指示するための意味づけ指示子（＄）であり、
その第２の属性情報の第２は、上記の変換の操作内容を特定する操作指示子（ｄ）であって、この操作指示子は、例えば「置換」、「リンク」等の操作内容を指示し、ここに「置換」は、元文書中において第１の属性情報ＡＴ１にて特定された元文書を所望の文書に置き換える操作を指示し、「リンク」は、インターネット上のリソース（ＵＲＬ）へリンクを張る操作を指示するものである。
【００３０】
さらに、第２属性付加部１２における第２の属性情報の第３は、レンジ指示子（ｃ）であり、このレンジ指示子は、第１の属性情報ＡＴ１により示された、変換の対象となる部分の中のさらに一部を特定するものであり、
またその第２の属性情報の第４は、位置修正指示子（ｂ）であり、この位置修正指示子は、第１の属性情報ＡＴ１により示された、変換の対象となる部分の中にさらなる変換を指示するものであり、
さらにまたその第２の属性情報の第５は、引数指示子（ｅ）であり、この引数指示子は、その第２の属性情報により指示される操作の具体的内容を指示するものである。
【００３１】
図６は図５の基本構成をシステム構成として示す図である。本図に示すシステム構成によれば、システム２０は、情報作成装置２１（図５の第１属性付与部１１に相当）と、意味づけ装置２２（第２属性付加部１２に相当）と、情報変換装置２３（文書変換部１３に相当）とからなる。
【００３２】
図６の例では、情報作成装置２１および意味づけ装置２２は、既存のインタフェース（ワードプロセッサ、エクセル等）を具備する処理装置であり、情報変換装置２３は第２の属性情報を解読可能で所望の変換文書に変換するプログラムを具備する処理装置である。なお、図示の装置２１および２２は別々に描いているが、これらを１つの装置としてもよい。
【００３３】
ここで注目すべき点は、図６の領域Ａにある部分は、既存の装置であり、目的とする処理ごとに、すなわち所望の変換文書を得る処理ごとに、プログラムを作成する必要はないことである。一方、図６の領域Ｂ内にある装置において、目的とする処理ごとにプログラムが作成される。
【００３４】
最後に本発明による詳細な具体例を示しておく。図７は本発明の詳細例を示す機能ブロック図である。本図において、３１は意味づけされたテキストの読込み機能部、３２は意味づけ抽出機能部、３３は意味づけ表記の変換機能部、３４は意味づけ区分分け機能部、３５は意味づけ階層化機能部、３６はテキスト変換機能部、３７はレスポンス返信機能部であり、これらのうち、二重枠で囲んだ意味づけ抽出機能部３２からテキスト変換機能部３６までが、特に本発明が関連する処理であり、以下に詳述する。なお、初段の意味づけされたテキストの読込み機能部３１および最終段のレスポンス返信機能部３７は、それぞれ図６の情報変換装置２３の入力段および出力段に相当し、この出力段より例えば所望のホームページをなすＨＴＭＬ文書が得られる。
【００３５】
図８は意味づけ抽出機能部３２を説明するための図、
図９は意味づけ表記の変換機能部３３を説明するための図（その１）、図１０は同図（その２）、図１１は同図（その３）、図１２は同図（その４）である。
【００３６】
まず図８を参照すると、上記意味づけ抽出機能部３２は、ユーザインタフェースで、第１の属性情報（以下、修飾情報）が付加されたテキスト（意味づけ装置２２での第２の属性情報（以下、修飾情報）含む）から、テキストのどの部分にどのような修飾が行われているかを抽出する。その抽出結果を本図８の（１）および（２）に示す。
【００３７】
次に図９〜図１２を参照すると、意味づけ表記の変換機能部３３は、上述の抽出情報を図９に示す形式で列挙する。この後、図１０に示すように、付加される意味づけに関連する修飾内容（例えば、下線）を＄の指定に基づき修正する。図１０において、
（１）は、最初の＄が作用する部分（この部分の２文字目から５文字目の修飾内容を置換）、
（２）は、次の＄も、位置修正指示子の．（ピリオド）があるので、同一の下線部に作用すること（４文字目から７文字目の修飾内容を置換）を表し、置換後は、図１１のようになる。図１１において、（１）においては、付加する意味づけがない「下線」修飾は削除する。
さらに、付加する意味づけに関連する修飾でありながら、付加する意味づけのないものを削除する（図１２参照）。
【００３８】
次に意味づけ区分分け機能部３４にて、修飾のタイプを設定する。修飾のタイプとは、「分割可能修飾」であるか「分割不能修飾」であるかの区分けである。ユーザインタフェースで設定される修飾の区分けは全て「分割可能修飾」とみなす。付加される意味づけは、意味づけごとに、どちらの区分けに属するかをあらかじめ規定しておくものとする。例えば、「リンク」修飾、「置換」修飾は共に分割不能修飾である。
【００３９】
図１３は意味づけ階層化機能部３５を説明するための図（その１）であり、
図１４は同図（その２）であり、
図１５は同図（その３）である。
【００４０】
図１２の修飾内容を図１３の手順によって、正しい入れ子の階層構造に変換する。同じ位置に対する修飾の重なり具合は、図１３の１）〜４）のいずれかとなる。
【００４１】
次に図１４を参照すると、同じ位置で修飾が重なっている場合で、両者に包含関係がない場合、一方の修飾を分割することで正常な包含関係とする。なお、このとき、開始位置が後の修飾を分割するものとする。つまり、図１４の１）〜４）のようになる。また、包含関係がある場合には、包含する方を上にする。
【００４２】
図１４の（１）では開始が遅い方の修飾を分割し、同図の（２）では包含関係があるので分割不要であり、同図の（３）では開始が遅い方の修飾を分割し、同図の（４）では包含関係が反対なので、含む方を上にする。
【００４３】
図１５を参照すると、上記の修正（図１３および図１４）で、上述した赤色の部分は、もともとが「分割不能修飾」である場合には、削除する。「分割可能修飾」である場合は、２つの修飾に分割する。この修正で、図１２の例は、図１５のように変更される。
【００４４】
最後に図１６を参照すると、図１６はテキスト変換機能部３６を説明するための図である。このテキスト変換機能部３６により、最終的な修飾情報（図１５）に従って、入力テキストを例えばＨＴＭＬへ変換すると、本図１６の１）〜５）のようになる。
【００４５】
以上詳述したとおり、本発明によれば、情報提供者側において、特殊なプログラミング技能を要することなく、ウェブサイトの構築が可能となる。
【図面の簡単な説明】
【００４６】
【図１】本発明に基づく文書作成方法の基本ステップを示すフローチャートである。
【図２】所望の文書に変換すべき元文書の一文例を示す図である。
【図３】本発明に基づき第２の属性情報ＡＴ２を付加した一文例を示す図である。
【図４】図３の操作によって得られた所望の変換文書ＤＣ′を示す図である。
【図５】本発明に基づく文書作成装置の基本構成図である。
【図６】図５の基本構成をシステム構成として示す図である。
【図７】本発明の詳細例を示す機能ブロック図である。
【図８】意味づけ抽出機能部３２を説明するための図である。
【図９】意味づけ表記の変換機能部３３を説明するための図（その１）である。
【図１０】意味づけ表記の変換機能部３３を説明するための図（その２）である。
【図１１】意味づけ表記の変換機能部３３を説明するための図（その３）である。
【図１２】意味づけ表記の変換機能部３３を説明するための図（その４）である。
【図１３】意味づけ階層化機能部３５を説明するための図（その１）である。
【図１４】意味づけ階層化機能部３５を説明するための図（その２）である。
【図１５】意味づけ階層化機能部３５を説明するための図（その３）である。
【図１６】テキスト変換機能部３６を説明するための図である。
【符号の説明】
【００４７】
１０    文書作成装置
１１    第１属性付与部
１２    第２属性付加部
１３    文書変換部
２１    情報作成装置
２２    意味づけ装置
２３    情報変換装置
ＤＣ    元文書
ＤＣ′    変換文書
ＡＴ１    第１の属性情報
ＡＴ２    第２の属性情報
【図１】
2007164368.tif 000003
【図２】
2007164368.tif 000004
【図３】
2007164368.tif 000005
【図４】
2007164368.tif 000006
【図５】
2007164368.tif 000007
【図６】
2007164368.tif 000008
【図７】
2007164368.tif 000009
【図８】
2007164368.tif 000010
【図９】
2007164368.tif 000011
【図１０】
2007164368.tif 000012
【図１１】
2007164368.tif 000013
【図１２】
2007164368.tif 000014
【図１３】
2007164368.tif 000015
【図１４】
2007164368.tif 000016
【図１５】
2007164368.tif 000017
【図１６】
2007164368.tif 000018
【手続補正書】
【提出日】平成18年4月3日(2006.4.3)
【手続補正１】
【補正対象書類名】明細書
【補正対象項目名】００２２
【補正方法】変更
【補正の内容】
【００２２】
ｄ）〔操作指示子〕は、上記変換の操作内容を特定する操作指示子である。この操作指示子ｄは、例えば「置換」、「リンク」等の操作内容を指示し、ここに「置換」は、元文書ＤＣ中において第１の属性情報ＡＴ１にて特定された元文書を所望の文書に置き換える操作を指示し、「リンク」は、インターネット上のリソース（ＵＲＬ）へリンクを張る操作を指示することを意味する。
ｅ）（引数指示子）は、上記の操作指示子ｄにより指示される操作の具体的内容を指示するものである。
【手続補正２】
【補正対象書類名】明細書
【補正対象項目名】００４１
【補正方法】変更
【補正の内容】
【００４１】
次に図１４を参照すると、同じ位置で修飾が重なっている場合で、両者に包含関係がない場合、一方の修飾を分割することで正常な包含関係とする。なお、このとき、開始位置が先の修飾が後の修飾を分割するものとする。つまり、図１４の１）〜４）のようになる。また、包含関係がある場合には、その包含関係を維持し、包む方を上にする。
【手続補正３】
【補正対象書類名】明細書
【補正対象項目名】００４２
【補正方法】変更
【補正の内容】
【００４２】
図１４の（１）では開始位置が後の修飾を分割し、同図の（２）では包含関係があるので分割不要であり、同図の（３）では開始位置が後の修飾を分割し、同図の（４）では包含関係が反対なので、含む方を上にする。
【手続補正４】
【補正対象書類名】明細書
【補正対象項目名】００４３
【補正方法】変更
【補正の内容】
【００４３】
図１５を参照すると、上記の修正（図１３および図１４）で、付加される意味づけがいずれも「分割不能修飾」である場合を説明している。このとき「分割不能修飾」であれば分割され切り離されていた「後ろの部分」は、「分割不能修飾」である場合、削除する。
【手続補正５】
【補正対象書類名】図面
【補正対象項目名】図１５
【補正方法】変更
【補正の内容】
【図１５】
2007164368.tif 000019
【手続補正６】
【補正対象書類名】図面
【補正対象項目名】図１６
【補正方法】変更
【補正の内容】
【図１６】
2007164368.tif 000020